(57)【要約】【課題】サポートしていないポータブルＡＶプレイヤについての処置の判断を支援する「ＡＶ装置」を提供する。【解決手段】接続されたポータブルＡＶプレイヤ２０のモデルが、搭載しているファームウエアのバージョンの如何に関わらず、ＡＶ装置１が対応できないモデルであれば、接続されたポータブルＡＶプレイヤ２０がＡＶ装置１が対応していないモデルであることを通知するメッセージを表示し（ａ）、搭載しているファームウエアのバージョンが古いためにＡＶ装置１が対応できないモデルであれば、ファームウエアのバージョンが古いために利用できない旨と、ファームウエアのバージョンアップの勧告とを表示する（ｂ）。【選択図】図４
2010166465.tif 000002
【特許請求の範囲】
【請求項１】
オーディオもしくはビデオの少なくとも一方であるコンテンツを記憶し、記憶したコンテンツの再生を行うポータブルＡＶプレイヤを接続可能であって、接続されたポータブルＡＶプレイヤに記憶されているコンテンツの出力を行うＡＶ装置であって、
ポータブルＡＶプレイヤに搭載されるファームウエアのバージョン毎に、当該バージョンのファームウエアを搭載したポータブルＡＶプレイヤに対する当該ＡＶ装置のサポート状況を登録した管理テーブルと、
当該ＡＶ装置に接続されたポータブルＡＶプレイヤから、当該ポータブルＡＶプレイヤのファームウエアのバージョンを取得するプレイヤ情報取得手段と、
前記プレイヤ情報取得手段が取得したファームウエアのバージョンと、前記管理テーブルに基づいて、当該ＡＶ装置に接続されたポータブルＡＶプレイヤが、当該ＡＶ装置がサポートしていないバージョンのファームウエアを搭載しており、かつ、当該ＡＶ装置がサポートできるバージョンのファームウエアが存在するポータブルＡＶプレイヤであるところの要アップデートポータブルＡＶプレイヤであるか否かを判定し、当該ＡＶ装置に接続されたポータブルＡＶプレイヤが前記要アップデートポータブルＡＶプレイヤであると判定した場合に、接続されたポータブルＡＶプレイヤをファームウエアのバージョンが古いために当該ＡＶ装置がサポートできない旨と、接続されたポータブルＡＶプレイヤに搭載されたファームウエアのアップデートの勧告とを表すメッセージを出力するメッセージ出力手段とを有することを特徴とするＡＶ装置。
【請求項２】
請求項１記載のＡＶ装置であって、
前記メッセージ出力手段は、当該ＡＶ装置に接続されたポータブルＡＶプレイヤが、当該ＡＶ装置が部分的にサポートしていないバージョンのファームウエアを搭載しており、かつ、搭載されているファームウエアを当該ＡＶ装置がより広範囲にサポートできるバージョンのファームウエアにアップデートできるポータブルＡＶプレイヤである場合にも、当該ポータブルＡＶプレイヤを要アップデートポータブルＡＶプレイヤであると判定することを特徴とするＡＶ装置。
【請求項３】
請求項１または２記載のＡＶ装置であって、
前記メッセージ出力手段は、当該ＡＶ装置に接続されたポータブルＡＶプレイヤが、当該ＡＶ装置が部分的にサポートしていないバージョンのファームウエアを搭載していると判定される場合に、当該ＡＶ装置に接続されたポータブルＡＶプレイヤの利用が制限される旨のメッセージを出力することを特徴とするＡＶ装置。
【請求項４】
コンピュータによって読みとられ実行されるコンピュータプログラムであって、
当該コンピュータプログラムは、前記コンピュータを、オーディオもしくはビデオの少なくとも一方であるコンテンツを記憶し、記憶したコンテンツの再生を行うポータブルＡＶプレイヤを接続可能であって、接続されたポータブルＡＶプレイヤに記憶されているコンテンツの出力を行うＡＶ装置として機能させ、
前記ＡＶ装置は、
ポータブルＡＶプレイヤに搭載されるファームウエアのバージョン毎に、当該バージョンのファームウエアを搭載したポータブルＡＶプレイヤに対する当該ＡＶ装置のサポート状況を登録した管理テーブルと、
当該ＡＶ装置に接続されたポータブルＡＶプレイヤから、当該ポータブルＡＶプレイヤのファームウエアのバージョンを取得するプレイヤ情報取得手段と、
前記プレイヤ情報取得手段が取得したファームウエアのバージョンと、前記管理テーブルに基づいて、当該ＡＶ装置に接続されたポータブルＡＶプレイヤが、当該ＡＶ装置がサポートしていないバージョンのファームウエアを搭載しており、かつ、当該ＡＶ装置がサポートできるバージョンのファームウエアが存在するポータブルＡＶプレイヤであるところの要アップデートポータブルＡＶプレイヤであるか否かを判定し、当該ＡＶ装置に接続されたポータブルＡＶプレイヤが前記要アップデートポータブルＡＶプレイヤであると判定した場合に、接続されたポータブルＡＶプレイヤをファームウエアのバージョンが古いために当該ＡＶ装置がサポートできない旨と、接続されたポータブルＡＶプレイヤに搭載されたファームウエアのアップデートの勧告とを表すメッセージを出力するメッセージ出力手段とを有することを特徴とするコンピュータプログラム。
【発明の詳細な説明】
【技術分野】
【０００１】
本発明は、記録したオーディオファイルやビデオファイルを再生出力するポータブルＡＶプレイヤを接続可能なＡＶ装置において、ユーザのポータブルＡＶプレイヤの利用を支援する技術に関するものである。
【背景技術】
【０００２】
記録したオーディオファイルやビデオファイルを再生出力するポータブルＡＶプレイヤを接続可能なＡＶ装置において、ユーザのポータブルＡＶプレイヤの利用を支援する技術としては、ＡＶ装置が備えるポータブルＡＶプレイヤの制御プログラムが、接続されたポータブルＡＶプレイヤをサポートする制御プログラムでない場合に、接続されたポータブルＡＶプレイヤをサポート可能な制御プログラムをサーバ装置から入手して、ＡＶ装置の制御プログラムを更新する技術が知られている（たとえば、特許文献１）。
【先行技術文献】
【特許文献】
【０００３】
【特許文献１】特開2008-3826号公報
【発明の概要】
【発明が解決しようとする課題】
【０００４】
さて、ポータブルＡＶプレイヤを接続可能なＡＶ装置に、当該ＡＶ装置がサポートしていないモデルのポータブルＡＶプレイヤや、当該ＡＶ装置がサポートしていないバージョンのファームウエアに従って動作するポータブルＡＶプレイヤが接続された場合、ＡＶ装置においてポータブルＡＶプレイヤを利用することはできない。一方で、このような場合、ユーザは、ＡＶ装置においてポータブルＡＶプレイヤがなぜ利用できないのかや、どのようにすれば利用できるようになるのかを直ちには把握することができないために、ポータブルＡＶプレイヤをいかように処置すれば良いのか、その対応に苦慮することになる。
【０００５】
そこで、本発明は、ユーザが、ＡＶ装置がサポートしていないポータブルＡＶプレイヤについて、その処置を容易に判断することができるように支援することを課題とする。
【課題を解決するための手段】
【０００６】
前記課題達成のために、本発明は、オーディオもしくはビデオの少なくとも一方であるコンテンツを記憶し、記憶したコンテンツの再生を行うポータブルＡＶプレイヤを接続可能であって、接続されたポータブルＡＶプレイヤに記憶されているコンテンツの出力を行うＡＶ装置に、ポータブルＡＶプレイヤに搭載されるファームウエアのバージョン毎に、当該バージョンのファームウエアを搭載したポータブルＡＶプレイヤに対する当該ＡＶ装置のサポート状況を登録した管理テーブルと、当該ＡＶ装置に接続されたポータブルＡＶプレイヤから、当該ポータブルＡＶプレイヤのファームウエアのバージョンを取得するプレイヤ情報取得手段と、前記プレイヤ情報取得手段が取得したファームウエアのバージョンと、前記管理テーブルに基づいて、当該ＡＶ装置に接続されたポータブルＡＶプレイヤが、当該ＡＶ装置がサポートしていないバージョンのファームウエアを搭載しており、かつ、当該ＡＶ装置がサポートできるバージョンのファームウエアが存在するポータブルＡＶプレイヤであるところの要アップデートポータブルＡＶプレイヤであるか否かを判定し、当該ＡＶ装置に接続されたポータブルＡＶプレイヤが前記要アップデートポータブルＡＶプレイヤであると判定した場合に、接続されたポータブルＡＶプレイヤをファームウエアのバージョンが古いために当該ＡＶ装置がサポートできない旨と、接続されたポータブルＡＶプレイヤに搭載されたファームウエアのアップデートの勧告とを表すメッセージを出力するメッセージ出力手段とを備えたものである。
【０００７】
ここで、このようなＡＶ装置は、前記メッセージ出力手段において、当該ＡＶ装置に接続されたポータブルＡＶプレイヤが、当該ＡＶ装置が部分的にサポートしていないバージョンのファームウエアを搭載しており、かつ、搭載されているファームウエアを当該ＡＶ装置がより広範囲にサポートできるバージョンのファームウエアにアップデートできるポータブルＡＶプレイヤである場合にも、当該ポータブルＡＶプレイヤを要アップデートポータブルＡＶプレイヤであると判定するように構成してもよい。また、前記メッセージ出力手段において、当該ＡＶ装置に接続されたポータブルＡＶプレイヤが、当該ＡＶ装置が部分的にサポートしていないバージョンのファームウエアを搭載していると判定される場合に、当該ＡＶ装置に接続されたポータブルＡＶプレイヤの利用が制限される旨のメッセージを出力するように構成してもよい。
【０００８】
このようなＡＶ装置によれば、ＡＶ装置に接続されたポータブルＡＶプレイヤが、当該ポータブルＡＶプレイヤに搭載されたファームウエアが古いために、ＡＶ装置において利用できないものである場合には、接続されたポータブルＡＶプレイヤをファームウエアのバージョンが古いために当該ＡＶ装置がサポートできない旨と、接続されたポータブルＡＶプレイヤに搭載されたファームウエアのアップデートの勧告とを表すメッセージが出力される。よって、ユーザは、このような場合に、ポータブルＡＶプレイヤをＡＶ装置に接続して利用するための処置として、ポータブルＡＶプレイヤのファームウエアをアップデートすべきであることを直ちに判断することができる。
【発明の効果】
【０００９】
以上のように、本発明によれば、ユーザが、ＡＶ装置がサポートしていないポータブルＡＶプレイヤについて、その処置を容易に判断することができるように支援することができる。
【図面の簡単な説明】
【００１０】
【図１】本発明の実施形態に係るＡＶ装置の構成を示すブロック図である。
【図２】本発明の実施形態に係るＡＶ装置が備えるテーブルを示す図である。
【図３】本発明の実施形態に係るプレイヤ組み込み処理を示すフローチャートである。
【図４】本発明の実施形態に係るＡＶ装置の表示画面例を示す図である。
【発明を実施するための形態】
【００１１】
以下、本発明の実施形態を説明する。
図１に、本実施形態に係るＡＶ装置の構成を示す。
ＡＶ装置１は、たとえば、自動車に搭載されるものであり、図示するように、複数のキーを備えた入力装置１１、制御部１２、ビデオ処理部１３、オーディオ処理部１４、メモリ１５、表示制御部１６、LCDなどである表示装置１７、スピーカ１８、ポータブルＡＶプレイヤ２０が選択的に接続されるプレイヤインタフェース１９とを備えている。
【００１２】
但し、以上のＡＶ装置１またはその一部は、ハードウエア的には、マイクロプロセッサや、メモリや、その他の周辺デバイスを有する一般的な構成を備えたコンピュータを用いて構成しても良く、この場合、以上に示したＡＶ装置の制御部１２やビデオ処理部１３やオーディオ処理部１４や表示制御部１６などは、マイクロプロセッサが予め用意されたプログラムを実行することにより具現化するプロセスとして実現されるものであって良い。
【００１３】
次に、ポータブルＡＶプレイヤ２０は、内蔵したＨＤＤや半導体メモリに楽曲のオーディオデータやビデオデータを記録している携帯型の装置である。また、ポータブルＡＶプレイヤ２０は、搭載されているファームウエアを実行することにより、各種機能が実現される機能であり、当該ファームウエアによって実現される機能によって、記録したオーディオデータやビデオデータを再生出力する。
【００１４】
そして、このような構成において、ＡＶ装置１の制御部１２は、表示制御部１６を介して各種メニュー画面を表示装置１７に表示すると共に、入力装置１１を介して、ユーザの各種操作を受け付けてＡＶ装置１の各部と、プレイヤインタフェース１９に接続されたポータブルＡＶプレイヤ２０とを制御する。
【００１５】
ここで、制御部１２が行うプレイヤインタフェース１９に接続されたポータブルＡＶプレイヤ２０の制御としては、ポータブルＡＶプレイヤ２０からポータブルＡＶプレイヤ２０に記録されているオーディオデータやビデオデータの情報を取得したり、ポータブルＡＶプレイヤ２０からポータブルＡＶプレイヤ２０に記録されているオーディオデータやビデオデータ（もしくは、これらをポータブルＡＶプレイヤ２０で再生したオーディオ信号やビデオ信号）を取得する制御等がある。
【００１６】
ただし、ＡＶ装置１の制御部１２は、プレイヤインタフェース１９に接続される可能性のある全てのポータブルＡＶプレイヤ２０について上述した制御の全てが行えるものではなく、ポータブルＡＶプレイヤ２０のモデルやファームウエアのバージョンに応じて、ポータブルＡＶプレイヤ２０に対して行える制御に制限が生じる。
【００１７】
また、制御部１２は、以上のようなポータブルＡＶプレイヤ２０の制御を行いつつ、プレイヤインタフェース１９に接続されたポータブルＡＶプレイヤ２０に記録されているオーディオデータやビデオデータの情報の一覧を表示装置１７に表示したり、一覧上でユーザから入力装置１１を介して再生を指示されたオーディオデータのオーディオ信号をオーディオ処理部１４にスピーカ１８へ出力させたり、一覧上でユーザから入力装置１１を介して再生を指示されたビデオデータのビデオ信号をビデオ処理部１３に表示制御部１６を介して表示装置１７へ表示させる制御も行う。
【００１８】
そして、ポータブルＡＶプレイヤ２０は、上述したファームウエアの実行により実現される機能として、ＡＶ装置１に接続されている状態において、ＡＶ装置１からの要求に応えて、記録しているオーディオデータやビデオデータの情報や、記録しているオーディオデータやビデオデータ（もしくは、これらをポータブルＡＶプレイヤ２０で再生したオーディオ信号やビデオ信号）をＡＶ装置１に出力する機能や、ＡＶ装置１に接続されている状態において、自身のモデルの識別や自身のファームウエアのバージョンをＡＶ装置１に出力する機能等を備えている。
【００１９】
さて、このような構成において、ＡＶ装置１のメモリ１５には、対応機能管理テーブルが予め記録されている。
対応機能管理テーブルには、図２に示すように、プレイヤインタフェース１９に接続されることのあるポータブルＡＶプレイヤ２０の各モデルと、当該モデルの搭載される可能性のある各ファームウエアのバージョンとの組み合わせが登録されている。また、ポータブルＡＶプレイヤ２０のモデルとファームウエアのバージョンとの各組み合わせに対して、ＡＶ装置１のビデオ機能とオーディオ機能とが、各々対応しているか否かが登録されている。
【００２０】
すなわち、あるバージョンのファームウエアを搭載した、あるモデルのポータブルＡＶプレイヤ２０について、ＡＶ装置１の制御部１２が、上述のようにポータブルＡＶプレイヤ２０からオーディオデータの情報を取得して一覧を表示したり、ポータブルＡＶプレイヤ２０からポータブルＡＶプレイヤ２０に記録されているオーディオデータ（もしくは、オーディオデータをポータブルＡＶプレイヤ２０で再生したオーディオ信号）を取得してオーディ処理部によってスピーカ１８に出力できる場合には、当該モデルとファームウエアバージョンとの組み合わせに対してオーディオ機能が対応している旨が登録され、そうでない場合にはオーディオ機能が非対応である旨が登録される。また、同様に、あるバージョンのファームウエアを搭載した、あるモデルのポータブルＡＶプレイヤ２０について、ＡＶ装置１の制御部１２が、上述のようにポータブルＡＶプレイヤ２０からビデオデータの情報を取得して一覧を表示したり、ポータブルＡＶプレイヤ２０からポータブルＡＶプレイヤ２０に記録されているビデオデータ（もしくは、ビデオデータをポータブルＡＶプレイヤ２０で再生したビデオ信号）を取得してビデオ処理部１３によって表示装置１７に表示できる場合には、当該モデルとファームウエアバージョンとの組み合わせに対してビデオ機能が対応している旨が登録され、そうでない場合にはビデオ機能が非対応である旨が登録される。
【００２１】
ここで、このような対応機能管理テーブルは、その内容が適時に更新されるものであり、この更新は、ＡＶ装置１に通信機能を備え、対応機能管理テーブルの最新の内容を提供するサーバから、当該最新の内容をダウンロードして行うようにしたり、対応機能管理テーブルの最新の内容を記録したリムーバブルな記憶媒体から、当該最新の内容を読み込んで行うようにしてもよい。また、ＡＶ装置１にナビゲーション装置の機能を備えている場合には、ナビゲーション装置が用いる地図データの更新用のデータと共に、対応機能管理テーブルの最新の内容をＡＶ装置１に提供して、対応機能管理テーブルの更新を行うようにしてもよい。
【００２２】
さて、このような構成においてＡＶ装置１の制御部１２は、図３に示すプレイヤ組み込み処理を行う。
図示するように、この処理では、プレイヤインタフェース１９のポータブルＡＶプレイヤ２０が接続されたならば（ステップ３００）、接続されたポータブルＡＶプレイヤ２０から、当該ポータブルＡＶプレイヤ２０のモデルの識別と当該ポータブルＡＶプレイヤ２０に搭載されているファームウエアのバージョンを取得する（ステップ３０２）。
【００２３】
そして、取得したモデルのポータブルＡＶプレイヤ２０が、搭載されているファームウエアのバージョンの如何に関わらず、ＡＶ装置１のビデオ機能とオーディオ機能の双方が対応していないものであるかどうかを、対応機能管理テーブルを参照して判定し（ステップ３０４）、ＡＶ装置１のビデオ機能とオーディオ機能の双方が対応していない場合には、たとえば、図４ａに示すような、接続されたポータブルＡＶプレイヤ２０がＡＶ装置１が対応していないモデルであることを通知するメッセージを表した非対応モデル通知画面を表示制御部１６を介して表示装置１７に表示し（ステップ３２２）、ステップ３００に戻って、次のポータブルＡＶプレイヤ２０の接続の発生を待つ。
【００２４】
一方、取得したモデルのポータブルＡＶプレイヤ２０が、搭載されているファームウエアのバージョンの如何に関わらず、ＡＶ装置１のビデオ機能とオーディオ機能の双方が対応していないものでなければ、接続されたポータブルＡＶプレイヤ２０のモデルとファームウエアのバージョンの組み合わせが、ＡＶ装置１の全機能（ビデオ機能とオーディオ機能の双方）が対応している組み合わせであるかどうかを調べ（ステップ３０６）、ビデオ機能とオーディオ機能の双方が対応していれば、通常再生モードを設定し（ステップ３２６）、再生制御処理を起動し（ステップ３２０）、ステップ３００に戻って、次のポータブルＡＶプレイヤ２０の接続の発生を待つ。ここで、このステップ３２０で起動する再生制御処理の内容については後述する。
【００２５】
一方、接続されたポータブルＡＶプレイヤ２０のモデルとファームウエアのバージョンの組み合わせが、ＡＶ装置１のビデオ機能とオーディオ機能の双方が対応している組み合わせでなければ、当該組み合わせが、ＡＶ装置１のビデオ機能とオーディオ機能の一方に対応しているかどうかを調べ（ステップ３０８）、いずれにも対応していない場合には、図４ｂに示すような、接続されたポータブルＡＶプレイヤ２０がファームウエアのバージョンが古いために利用できない旨と、ファームウエアのバージョンアップの勧告とを表した再生不能及びファームウエアバージョンアップ勧告画面を表示し（ステップ３２４）、ステップ３００に戻って、次のポータブルＡＶプレイヤ２０の接続の発生を待つ。
【００２６】
一方、接続されたポータブルＡＶプレイヤ２０のモデルとファームウエアのバージョンの組み合わせが、ＡＶ装置１のビデオ機能とオーディオ機能の一方に対応している場合には（ステップ３０８）、接続されたポータブルＡＶプレイヤ２０のファームウエアのバージョンをバージョンアップすることにより、ポータブルＡＶプレイヤ２０のモデルとファームウエアのバージョンの組み合わせが、ＡＶ装置１のビデオ機能とオーディオ機能の双方に対応するようになるかどうかを調べ（ステップ３１０）、対応するようにならない場合には、そのままステップ３１２に進み、対応するようになる場合には、図４ｃに示すような、ファームウエアのバージョンアップの勧告を表したファームウエアバージョンアップ勧告画面を数秒表示し（ステップ３２８）、その後ステップ３１２に進む。
【００２７】
そして、ステップ３１２に進んだならば、図４ｄに示すような、機能の一部を制限した形態でしかポータブルＡＶプレイヤ２０を利用できない旨を表した機能制限再生画面を表示し、当該機能制限再生画面に設けた「はい」/「いいえ」ボタン４０１/４０２で、再生開始/再生中止の指示をユーザから受け付ける（ステップ３１４、３１６）。
【００２８】
そして、再生中止の指示を受け付けた場合には（ステップ３１４）、ステップ３００に戻って、次のポータブルＡＶプレイヤ２０の接続の発生を待つ。
一方、再生開始の指示をユーザから受け付けた場合には、（ステップ３１６）、機能制限再生モードを設定した上で（ステップ３１８）、再生制御処理を起動し（ステップ３２０）、ステップ３００に戻って、次のポータブルＡＶプレイヤ２０の接続の発生を待つ。
以上、制御部１２が行うプレイヤ組み込み処理について説明した。
以下、このプレイヤ組み込み処理のステップ３２０で起動される再生制御処理について説明する。
再生制御処理は、プレイヤ組み込み処理のステップ３２６で、通常再生モードが設定されているときには、ポータブルＡＶプレイヤ２０に記憶されているオーディオデータ再生用のメニューと、ポータブルＡＶプレイヤ２０に記憶されているビデオデータ再生用のメニューとを表示し、メニューの操作に応じて、前述のように、プレイヤインタフェース１９に接続されたポータブルＡＶプレイヤ２０に記録されているオーディオデータやビデオデータの情報の一覧を表示したり、一覧上でユーザから入力装置１１を介して再生を指示されたオーディオデータのオーディオ信号をオーディオ処理部１４にスピーカ１８へ出力させたり、一覧上でユーザから入力装置１１を介して再生を指示されたビデオデータのビデオ信号をビデオ処理部１３による表示制御部１６を介して表示装置１７へ表示させる制御を行う。
【００２９】
ここで、図４ｅは、通常再生モードが設定されているときに再生制御処理が起動直後に表示するメニューの一例を示したものであり、図示した例では、ポータブルＡＶプレイヤ２０に記憶されているオーディオデータの一覧を、プレイリスト、ジャンル、アルバム、アーティストなどの各種分類のいずれの分類に従って表示するかを受け付けるボタン４１０と、表示メニューを、ポータブルＡＶプレイヤ２０に記憶されているビデオデータの再生操作を受け付けるためのメニューに切り替えるためのビデオボタン４１１とが表示されている。
【００３０】
次に、再生制御処理は、プレイヤ組み込み処理のステップ３１８で、機能制限再生モードが設定されているときには、プレイヤインタフェース１９に接続されているポータブルＡＶプレイヤ２０のモデルとファームウエアのバージョンに対して対応している機能のみを用いた再生制御を行う。すなわち、オーディオ機能にのみ対応している場合には、ポータブルＡＶプレイヤ２０に記憶されているオーディオデータ再生用のメニューのみを表示し、メニューの操作に応じて、前述のように、プレイヤインタフェース１９に接続されたポータブルＡＶプレイヤ２０に記録されているオーディオデータの情報の一覧を表示したり、一覧上でユーザから入力装置１１を介して再生を指示されたオーディオデータのオーディオ信号をオーディオ処理部１４にスピーカ１８へ出力させる制御を行う。
【００３１】
一方、ビデオ機能にのみ対応している場合には、ポータブルＡＶプレイヤ２０に記憶されているビデオデータ再生用のメニューのみを表示し、メニューの操作に応じて、前述のように、プレイヤインタフェース１９に接続されたポータブルＡＶプレイヤ２０に記録されているビデオデータの情報の一覧を表示したり、一覧上でユーザから入力装置１１を介して再生を指示されたビデオデータのビデオ信号をビデオ処理部１３に表示装置１７に出力させる制御を行う。
【００３２】
ここで、図４ｆは、機能制限再生モードが設定されており、ポータブルＡＶプレイヤ２０のモデルとファームウエアのバージョンに対してオーディオ機能にのみ対応している場合に、再生制御処理が起動直後に表示するメニューの一例を示したものであり、図示した例では、図４ｅと同様に、ポータブルＡＶプレイヤ２０に記憶されているオーディオデータの一覧を、プレイリスト、ジャンル、アルバム、アーティストなどの各種分類のいずれの分類に従って表示するかを受け付けるボタン４１０が表示されているが、ビデオ機能に対応していないため、図４ｅにおいて表示していた、表示メニューを、ポータブルＡＶプレイヤ２０に記憶されているビデオデータの再生操作を受け付けるためのメニューに切り替えるためのビデオボタン４１１は表示されない。
【００３３】
以上、本発明の実施形態について説明した。
なお、以上の実施形態では、ポータブルＡＶプレイヤ２０のオーディオデータをＡＶ装置１において再生出力するためのオーディオ機能と、ポータブルＡＶプレイヤ２０のビデオデータをＡＶ装置１において再生出力するためのビデオ機能とについて説明したが、ＡＶ装置１においてポータブルＡＶプレイヤ２０を利用するためのその他の機能についても、オーディオ機能やビデオ機能と同様に取り扱うようにしてもよい。
【００３４】
このように本実施形態によれば、ＡＶ装置１がサポートしていない、または、部分的にサポートしていないポータブルＡＶプレイヤ２０がＡＶ装置１に接続されたときに、当該ポータブルＡＶプレイヤ２０がサポートされない理由が、ポータブルＡＶプレイヤ２０のモデルによるものなのか、ファームウエアのバージョンによるものかを、図４ａ-ｄに示すように表示するので、ユーザは、当該表示より、ポータブルＡＶプレイヤ２０の処置を直ちに判断することができる。すなわち、ユーザは、サポートされない理由がポータブルＡＶプレイヤ２０のモデルによるものと知り得た場合には、ポータブルＡＶプレイヤ２０の接続を疑義無く断念できるし、サポートされない理由がポータブルＡＶプレイヤ２０のファームウエアのバージョンによるものと知り得た場合には、ポータブルＡＶプレイヤ２０のファームウエアをアップデートすべきことを直ちに判断することができる。
【符号の説明】
【００３５】
１…ＡＶ装置、１１…入力装置、１２…制御部、１３…ビデオ処理部、１４…オーディオ処理部、１５…メモリ、１６…表示制御部、１７…表示装置、１８…スピーカ、１９…プレイヤインタフェース、２０…ポータブルＡＶプレイヤ。
【図１】
2010166465.tif 000003
【図２】
2010166465.tif 000004
【図３】
2010166465.tif 000005
【図４】
2010166465.tif 000006